(57)【要約】      （修正有）【課題】従来よりも効率的に太陽光からエネルギを回収できる発電装置を提供する。【解決手段】太陽光を集光して第１発電ユニット２０に入射させる集光ユニット１０、入射した太陽光を利用して光電変換により電気エネルギーを生成する第１発電ユニット、第１発電ユニットを除熱するように冷媒を供給する冷却ユニット５０、冷媒の温度を上昇させる昇温ユニット３０、熱媒質の熱を利用して電気エネルギーを生成する第２発電ユニット４０、とを備えて発電装置を構成する。【選択図】図１
2017153217.tif 000002
【特許請求の範囲】
【請求項１】
太陽光を利用して発電する光発電ユニットと、
前記光発電ユニットを除熱するように熱媒質を循環させる循環ユニットと、
前記熱媒質の熱を利用してエネルギを取得する取得ユニットと、
を具備したことを特徴とする発電装置。
【請求項２】
前記太陽光を集める集光ユニットをさらに備え、
前記光発電ユニットは前記集光ユニットにより集められた前記太陽光を利用して発電することを特徴とする請求項１に記載の発電装置。
【発明の詳細な説明】
【技術分野】
【０００１】
本発明の実施形態は、太陽光を利用して発電する発電装置に関する。
【背景技術】
【０００２】
太陽光を利用して発電する発電装置は既に多くが存在する。これらの発電装置は、太陽光のうちの光エネルギを利用するタイプと、熱エネルギを利用するタイプとに大別される。  
しかしながら、光エネルギ及び熱エネルギのどちらか一方のみを利用するのでは、太陽光のエネルギを有効に利用できていないのであり、効率が悪い。そこで、光エネルギ及び熱エネルギの双方を用いる発電装置が種々研究されている。  
例えば特許文献１には、太陽光から分光器により分離した紫外線及び赤外線をそれぞれ用いて個別の発電手段により発電を行う技術が開示されている  
また特許文献２には、太陽電池パネルと熱発電装置とにより光発電及び熱発電をそれぞれ行う技術が開示されている。
【先行技術文献】
【特許文献】
【０００３】
【特許文献１】特開２０１１−２４９５０６号公報
【特許文献２】特開２００７−８１０９７号公報
【発明の概要】
【発明が解決しようとする課題】
【０００４】
しかしながら、光エネルギ及び熱エネルギの双方を用いる上記の従来の発電装置は、それぞれのエネルギを用いる個別の発電ユニットを並列的に備えるに過ぎず、それら発電ユニットは互いに無関係である。  
本発明が解決しようとする課題は、従来よりも効率的に太陽光からエネルギを回収できる発電装置を提供することである。
【課題を解決するための手段】
【０００５】
以上の目的を達成するために本発明は、太陽光を利用して発電する光発電ユニットと、光発電ユニットを除熱するように熱媒質を循環させる循環ユニットと、熱媒質の熱を利用してエネルギを取得する取得ユニットとを備えて発電装置を構成した。
【発明の効果】
【０００６】
本発明によれば、従来よりも効率的に太陽光からエネルギを回収できる発電装置を提供できる。
【図面の簡単な説明】
【０００７】
【図１】第１の実施形態に係る発電装置の概略構成を示すブロック図。
【図２】図１中の集光ユニット及び第１発電ユニットの構成を示す図。
【図３】図１中の集光ユニット及び第１発電ユニットの構成を示す図。
【図４】図２，図３中の発電セルの一部の構造の一例を示す図。
【図５】図２，図３中の発電セルの一部の構造の別例を示す図。
【図６】第２の実施形態に係る発電装置の要部の構成を示す図。
【図７】第３の実施形態に係る発電装置の要部の構成を示す図。
【図８】第４の実施形態に係る発電装置の要部の構成を示す図。
【図９】第５の実施形態に係る発電装置の要部の構成を示す図。
【図１０】第６の実施形態に係る発電装置の要部の構成を示す図。
【発明を実施するための形態】
【０００８】
以下、いくつかの実施の形態について図面を用いて説明する。なお、各図面は、構成や構造を概念的に表しており、現実の構成や実際の構造を厳密に表してはいない。
【０００９】
（第１の実施形態）
図１は第１の実施形態に係る発電装置１の概略構成を示すブロック図である。  
発電装置１は、集光ユニット１０、第１発電ユニット２０、昇温ユニット３０、第２発電ユニット４０、冷却ユニット５０及びパイプ６０ａ，６０ｂ，６０ｃ，６０ｄを備える。
【００１０】
集光ユニット１０は、太陽光を集光して第１発電ユニット２０に入射させる。  
第１発電ユニット２０は、入射した太陽光を用いて光電変換により電気エネルギを生成する。第１発電ユニット２０には、冷却ユニット５０からパイプ６０ａを介して冷媒が供給される。第１発電ユニット２０は、当該冷媒により冷却される。第１発電ユニット２０を冷却することで昇温した冷媒は、パイプ６０ｂを介して昇温ユニット３０へと送られる。
【００１１】
昇温ユニット３０は、冷媒を加圧するか、又は冷媒を相変化させることにより、冷媒の温度を上昇させる。昇温ユニット３０には、例えば加圧ポンプ又はスターリングエンジンなどの周知のデバイスを利用できる。昇温ユニット３０から送出された冷媒は、パイプ６０ｃを介して第２発電ユニット４０へと供給される。
【００１２】
第２発電ユニット４０は、冷媒の熱を利用して電気エネルギを生成する。第２発電ユニット４０としては、例えばスターリング発電機などの周知のデバイスを利用できる。第２発電ユニット４０から送出された冷媒は、パイプ６０ｄを介して冷却ユニット５０へと供給される。
【００１３】
冷却ユニット５０は、冷媒を減圧するか、又は相変化させることにより、冷媒の温度を低下させる。冷却ユニット５０には、減圧弁か、あるいはジュール・トムソン効果を利用する冷却機などの周知のデバイスを利用できる。冷却ユニット５０から送出された冷媒が、前述のようにパイプ６０ａを介して第１発電ユニット２０へと供給される。
【００１４】
なお、冷媒としては、無色透明な気体又は液体を用いる。パイプ６０ａ，６０ｂ，６０ｃ，６０ｄを介しての冷媒の循環は、冷媒自体の温度変化又は密度変化により生じる冷媒の流れにより生じさせても良いし、ポンプ等により生じさせても良い。ポンプ等を用いる場合に当該ポンプは、昇温ユニット３０、第２発電ユニット４０及び冷却ユニット５０のいずれかに内蔵されても良いし、パイプ６０ａ，６０ｂ，６０ｃ，６０ｄのいずれかの途中に取り付けられても良い。
【００１５】
図２及び図３は集光ユニット１０及び第１発電ユニット２０の構成を示す図である。図２及び図３は、集光ユニット１０及び第１発電ユニット２０を上方及び水平方向から見た様子をそれぞれ示す。
【００１６】
集光ユニット１０は、３つの光学系１１を水平方向に並べて構成される。光学系１１はそれぞれ、２つのレンズ１１ａ，１１ｂ及び１つの反射鏡１１ｃを、図示しない支柱に固定して構成される。支柱は、地面又は建物の屋上などに設けた土台に固定される。  
レンズ１１ａは、太陽光を収束光線状態で出射する。レンズ１１ｂは、レンズ１１ａから出射される太陽光を、平行光線状態として出射する。反射鏡１１ｃは、レンズ１１ｂから出射される太陽光を、第１発電ユニット２０に入射させるべく反射する。レンズ１１ａ，１１ｂとしては、例えばフレネルレンズを用いることが想定される。  
３つの光学系１１は、他の光学系１１への太陽光の入射の妨げとならぬよう、かつ他の光学系１１から第１発電ユニット２０に向かう光の妨げとならぬよう、水平方向に互いにずらして配置されている。
【００１７】
第１発電ユニット２０は、密閉容器２１及び発電パネル２２を備える。  
密閉容器２１は、中空であり、内部空間２１ａを形成している。密閉容器２１は、内部空間２１ａに発電パネル２２を収容する。内部空間２１ａへは、パイプ６０ａから冷媒が噴出する。また内部空間２１ａからは、パイプ６０ｂへと冷媒が送出される。密閉容器２１は、パイプ６０ａから供給された冷媒を漏洩させることなくパイプ６０ｂから送出することが可能であるように内部空間２１ａを密閉している。また密閉容器２１は、透明なガラス又は樹脂などにより形成された窓２１ｂを有する。窓２１ｂは、集光ユニット１０から出射した太陽光を発電パネル２２へと入射させる。  
発電パネル２２は、受光面を窓２１ｂに向けた図２に示すような状態で内部空間２１ａに配置され、図示しない固定具により密閉容器２１に固定されている。発電パネル２２は、多数の発電セルを２次元的に配列して構成される。発電セルは、太陽光の光エネルギを電気エネルギに変換する半導体素子であり、結晶シリコン又はアモルファスシリコンなどを用いた周知の素子を用いることができる。発電セルは、太陽光の吸収効率を考慮して、受光面を黒色とすることが好ましい。同種の発電パネルは既に製品化されているが、その多くは発電セルの表面を保護ガラスで覆っている。本実施形態においても、このような保護ガラスを有した既製品を発電パネル２２として用いることもできる。しかしながら本実施形態の発電パネル２２は、保護ガラスを設けない。
【００１８】
図４は発電セルの一部の構造の一例を示す図である。  
図４に示す発電セル２２ａは、受光面を矩形の凹凸としている。  
図５は発電セルの一部の構造の別例を示す図である。  
図５に示す発電セル２２ｂは、受光面を波形の凹凸としている。  
発電パネル２２には、これら発電セル２２ａ，２２ｂのいずれが設けられていても良いし、あるいは受光面がほぼ平面な発電セルが設けられていても良い。
【００１９】
次に以上のように構成された発電装置１の動作について説明する。  
集光ユニット１０に太陽光が入射すると、集光ユニット１０は当該太陽光を集光し、第１発電ユニット２０に入射させる。第１発電ユニット２０では、窓２１ｂを通して発電パネル２２の受光面へと太陽光が入射する。これにより発電パネル２２では、太陽光の光エネルギを利用した発電が行われる。かくして第１発電ユニットは、光発電ユニットとして機能する。
【００２０】
さて発電パネル２２は、太陽光の熱エネルギにより加熱される。また発電パネル２２は、電気エネルギに変換し切れなかった光エネルギの一部によっても加熱される。第１発電ユニット２０の密閉容器２１の内部空間２１ａには、冷却ユニット５０により冷却された冷媒がパイプ６０ａを介して供給される。この冷媒が発電パネル２２に触れることで発電パネル２２は除熱され、冷却される。かくして冷媒は、光発電ユニットとしての第１発電ユニット２０を除熱するための熱媒質に相当する。
【００２１】
発電パネル２２から熱を得て昇温した冷媒は、昇温ユニット３０によって内部空間２１ａからパイプ６０ｂを介して吸引される。昇温ユニット３０において冷媒は、加圧されるか、又は相変化させられることにより、さらに昇温される。
【００２２】
昇温ユニット３０で昇温された冷媒は、昇温ユニット３０から送り出され、パイプ６０ｃを介して第２発電ユニット４０へと供給される。第２発電ユニット４０は、冷媒の熱エネルギを利用して発電する。かくして第２発電ユニット４０は、熱媒質である冷媒の熱を利用して電気エネルギを取得する取得ユニットとして機能する。
【００２３】
第２発電ユニット４０により熱が利用されることで温度が低下した冷媒は、第２発電ユニット４０からパイプ６０ｄへと送出され、冷却ユニット５０へと送り込まれる。冷却ユニット５０において冷媒は、減圧されるか、又は相変化させられることにより冷却され、前述したような発電パネル２２の冷却のために第１発電ユニット２０に供給される。かくして、熱媒質である冷媒は、昇温ユニット３０、冷却ユニット５０及びパイプ６０ａ〜６０ｄにより、光発電ユニットとしての第１発電ユニット２０を除熱するために循環される。従って、昇温ユニット３０、冷却ユニット５０及びパイプ６０ａ〜６０ｄの協働により、循環ユニットとしての機能が実現される。
【００２４】
このように発電装置１によれば、太陽光の光エネルギを用いた発電が第１発電ユニット２０で行われるのと並行して、熱エネルギを用いた発電が第２発電ユニット４０で行われる。そして発電装置１では、第２発電ユニット４０では、第１発電ユニット２０を冷却するために回収された熱を利用して発電を行う。従って、第１発電ユニット２０を冷却するための設備を第２発電ユニット４０のエネルギ源を取得するための設備として共用することができ、太陽光から熱エネルギを分離する設備を別途設ける場合に比べて簡易な構成により実現できる。
【００２５】
また発電装置１によれば、発電パネル２２が冷却されることから、発電パネル２２の温度上昇に起因する発電効率の低下を防止することができ、第１発電ユニット２０における効率的な発電が期待できる。
【００２６】
また発電装置１によれば、発電パネル２２を密閉容器２１の内部空間２１ａに配置することから、発電パネル２２には保護ガラスを設けないようにしている。このため、保護ガラスによる太陽光の減衰が生じず、保護ガラスを設けた一般的な既製の発電パネルを用いる場合に比べて発電効率の向上を図ることが可能である。
【００２７】
また発電装置１によれば、集光ユニット１０により集光した太陽光を第１発電ユニット２０に入射させている、このため、自然に入射するよりも大きな光量を第１発電ユニット２０に入射させることができ、発電パネル２２の発電能力を十分に利用した効率的な発電が行える。
【００２８】
また発電装置１によれば、発電パネル２２に、図４に示す構造の発電セル２２ａ又は図５に示す構造の発電セル２２ｂを搭載することにより、発電セルの受光面の表面積が大きくなり、冷媒による発電パネル２２からの除熱の効率を向上できる。これにより、発電パネル２２を効率的に冷却できるとともに、第２発電ユニット４０で用いるための熱エネルギを効率的に取得できる。
【００２９】
また発電装置１によれば、昇温ユニット３０により昇温した冷媒を第２発電ユニット４０に供給しているので、第１発電ユニット２０における冷媒の温度上昇が不十分な状況においても、第２発電ユニット４０にて発電が行える。
【００３０】
（第２の実施形態）
図６は第２の実施形態に係る発電装置２の要部の構成を示す図である。なお、図６において図１及び図２と同一の要素については同一の符号を付している。
【００３１】
発電装置２は、発電装置１における集光ユニット１０及び第１発電ユニット２０に代えて、図６に示すような集光ユニット７０及び第１発電ユニット８０を備える。発電装置２におけるその他の構成は図１に示された発電装置１の構成と同様であるので、図示及び説明を省略する。
【００３２】
集光ユニット７０は、３つの光学系１１及び反射鏡７１，７２を含む。すなわち、集光ユニット７０は、第１の実施形態における集光ユニット１０に反射鏡７１，７２を追加して備えたものである。なおここでは、３つの光学系１１の個々を区別する必要がある場合には、これらを光学系11-1，11-2，11-3と記載する。
【００３３】
反射鏡７１，７２は、３つの光学系１１のうちの水平方向中央に位置する光学系11-2から出射された太陽光は反射させることなく、そのまま第１発電ユニット８０に入射させる。反射鏡７１，７２は、光学系11-1，11-3から出射された太陽光を、それらが互いに交差するようにそれぞれ反射させる。
【００３４】
第１発電ユニット８０は、発電パネル２２及び密閉容器８１を備える。つまり第１発電ユニット８０は、第１発電ユニット２０における密閉容器２１に代えて密閉容器８１を備えたものである。
【００３５】
密閉容器８１は、中空であり、内部空間８１ａを形成している。密閉容器８１は、内部空間８１ａに発電パネル２２を収容する。内部空間８１ａへは、パイプ６０ａから冷媒が噴出する。また内部空間８１ａからは、パイプ６０ｂへと冷媒が送出される。密閉容器８１は、パイプ６０ａから供給された冷媒を漏洩させることなくパイプ６０ｂへと送出することが可能であるように内部空間８１ａを密閉している。また密閉容器８１は、透明なガラス又は樹脂などにより形成された窓８１ｂを有する。窓８１ｂは、集光ユニット９０から出射した太陽光を透過させ、発電パネル２２へと入射させる。発電パネル２２は、受光面を窓８１ｂに向けた図６に示すような状態で内部空間８１ａに配置され、図示しない固定具により密閉容器８１に固定されている。
【００３６】
集光ユニット７０と密閉容器８１との位置関係は、光学系11-1，11-3から出射された太陽光が互いに交差する位置の近辺において窓８１ｂが位置するように定められる。また、窓８１ｂの形状及び大きさは、上記のように定めた位置関係において、集光ユニット７０から出射された太陽光のほとんどを透過するように、例えば設計者などにより定められる。
【００３７】
かくして発電装置２によっても、第１の実施形態と同様な効果が達成できる。  
さらに発電装置２によれば、11-1，11-3から出射された太陽光が互いに交差する位置の近辺において窓８１ｂを太陽光が透過するので、窓８１ｂを小型化することが可能である。窓８１ｂは、光の透過率が高いほど、第１発電ユニット８０における発電効率を高めることができる。このため、窓８１ｂを形成する素材に対して、透明化処理及び低反射化処理などを施すことが好ましい。そして、窓８１ｂが小型であることにより、この透明化処理及び低反射化処理などを施すためのコストを抑えることができる。
【００３８】
（第３の実施形態）
図７は第２の実施形態に係る発電装置２の要部の構成を示す図である。なお、図６において図１及び図２と同一の要素については同一の符号を付している。
【００３９】
発電装置３は、発電装置１における集光ユニット１０及び第１発電ユニット２０に代えて、図７に示すような集光ユニット９０及び第１発電ユニット１００を備える。発電装置３におけるその他の構成は図１に示された発電装置１の構成と同様であるので、図示及び説明を省略する。
【００４０】
集光ユニット９０は、単一のレンズからなる。集光ユニット９０は、太陽光を収束光線状態で出射する。集光ユニット９０としては、例えばフレネルレンズを用いることが想定される。
【００４１】
第１発電ユニット１００は、発電パネル２２及び密閉容器８１を備える。つまり第１発電ユニット１００は、第１発電ユニット２０における密閉容器２１に代えて密閉容器１０１を備えたものである。  
密閉容器１０１は、中空であり、内部空間１０１ａを形成している。密閉容器１０１は、内部空間１０１ａに発電パネル２２を収容する。内部空間１０１ａへは、パイプ６０ａから冷媒が噴出する。また内部空間１０１ａからは、パイプ６０ｂへと冷媒が送出される。密閉容器１０１は、パイプ６０ａから供給された冷媒を漏洩させることなくパイプ６０ｂから送出することが可能であるように内部空間１０１ａを密閉している。また密閉容器１０１は、透明なガラス又は樹脂などにより形成された窓１０１ｂを有する。窓１０１ｂは、集光ユニット９０から出射した太陽光を透過させ、発電パネル２２へと入射させる。発電パネル２２は、受光面を窓１０１ｂに向けた図７に示すような状態で内部空間１０１ａに配置され、図示しない固定具により密閉容器１０１に固定されている。
【００４２】
集光ユニット９０と密閉容器１０１との位置関係は、集光ユニット９０の焦点の近辺において窓１０１ｂが位置するように定められる。また、窓１０１ｂの形状及び大きさは、上記のように定めた位置関係において、集光ユニット９０から出射された太陽光のほとんどを透過するように、例えば設計者などにより定められる。
【００４３】
かくして発電装置２によっても、第１の実施形態と同様な効果が達成できる。  
さらに発電装置２によれば、集光ユニット９０の焦点の近辺において窓１０１ｂを太陽光が透過するので、窓１０１ｂを小型化することが可能である。窓１０１ｂは、光の透過率が高いほど、第１発電ユニット１００における発電効率を高めることができる。このため、窓１０１ｂを形成する素材に対して、透明化処理及び低反射化処理などを施すことが好ましい。そして、窓１０１ｂが小型であることにより、この透明化処理及び低反射化処理などを施すためのコストを抑えることができる。
【００４４】
なお、窓１０１ｂの位置が集光ユニット９０の焦点に近いほど、窓１０１ｂを小さくすることが可能である。しかしながら、窓１０１ｂの位置が集光ユニット９０の焦点に近いほど、窓１０１ｂの狭い領域に高熱が加わることとなる。そこで、窓１０１ｂの耐熱性も考慮して集光ユニット９０と密閉容器１０１との位置関係を定めるべきである。
【００４５】
（第４の実施形態）
図８は第４の実施形態に係る発電装置４の要部の構成を示す図である。なお、図８において図１、図２及び図７と同一の要素については同一の符号を付している。
【００４６】
発電装置４は、発電装置１における集光ユニット１０及び第１発電ユニット２０に代えて、図８に示すような集光ユニット１１０及び第１発電ユニット１００を備える。発電装置４におけるその他の構成は図１に示された発電装置１の構成と同様であるので、図示及び説明を省略する。つまり発電装置４は、発電装置３における集光ユニット９０に代えて集光ユニット１１０を備えたものであるとも言える。
【００４７】
集光ユニット１１０は、単一の放射面反射器からなる。集光ユニット１１０は、平行光線状態で到来した太陽光を、収束光線状態で反射する。
【００４８】
集光ユニット１１０と密閉容器１０１との位置関係は、集光ユニット９０の焦点の近辺において窓８１ｂが位置するように定められる。また、窓８１ｂの形状及び大きさは、上記のように定めた位置関係において、集光ユニット７０から出射された太陽光のほとんどを透過するように、例えば設計者などにより定められる。
【００４９】
かくして発電装置４によっても、第３の実施形態と同様な効果が達成できる。
【００５０】
（第５の実施形態）
図９は第５の実施形態に係る発電装置５の概略構成を示すブロック図である。なお、図９において図１及び図２と同一の要素については同一の符号を付している。
【００５１】
発電装置５は、集光ユニット１０、第１発電ユニット２０、第２発電ユニット４０、熱交換ユニット１２０及びパイプ１３０ａ，１３０ｂ，１３０ｃ，１３０ｄを備える。
【００５２】
第１発電ユニット２０は、発電パネル２２を除熱することにより昇温した冷媒を、内部空間２１ａからパイプ１３０ａへと送出する。
【００５３】
熱交換ユニット１２０には、パイプ１３０ａを介して冷媒が供給される。これとは別に、熱交換ユニット１２０には、パイプ１３０ｃを介して熱媒体が供給される。熱交換ユニット１２０は、冷媒の熱を利用して熱媒体を昇温する。熱交換ユニット１２０は、冷媒及び熱媒体をパイプ１３０ｂ，１３０ｃのそれぞれへと送出する。
【００５４】
第２発電ユニット４０は、パイプ１３０ｃを介して供給された熱媒体の熱を利用して発電する。第２発電ユニット４０は、熱媒体をパイプ１３０ｃへと送出する。
【００５５】
次に以上のように構成された発電装置５の動作について、発電装置１の動作とは異なる点を中心に説明する。  
第１発電ユニット２０の密閉容器２１の内部空間２１ａには、冷媒がパイプ１３０ｂを介して供給される。この冷媒が発電パネル２２に触れることで発電パネル２２は除熱され、冷却される。発電パネル２２から熱を得て昇温した冷媒は、パイプ１３０ａを介して熱交換ユニット１２０へと供給される。
【００５６】
これと並行して熱交換ユニット１２０へは、パイプ１３０ｃを介して熱媒体が供給される。熱交換ユニット１２０は、冷媒から熱エネルギを取り出し、この熱エネルギを用いて熱媒体を昇温する。熱エネルギが取り出されたことにより温度が低下した冷媒は、パイプ１３０ｂを介して密閉容器２１の内部空間２１ａへと供給され、前述したように発電パネル２２を除熱する。また昇温された熱媒体は、パイプ１３０ｄを介して第２発電ユニット４０に供給される。従って、熱交換ユニット１２０及びパイプ１３０ａ，１３０ｂの協働により、循環ユニットとしての機能が実現される。
【００５７】
第２発電ユニット４０では、熱媒体の熱エネルギを利用した発電が行われる。この発電により温度が低下した熱媒体は、パイプ１３０ｃを介して熱交換ユニット１２０へと供給され、再び前述したように昇温される。
【００５８】
かくして発電装置５によっても、第１の実施形態と同様な効果が達成できる。  
なお発電装置５によれば、熱媒体は光の透過率を考慮すること無く選択することが出来る。これにより、例えばオイルなどのように光の透過率は低い反面、熱効率の高い物質を熱媒体として用いることが可能であり、第２発電ユニット４０での発電効率のさらなる向上を図ることができる。
【００５９】
（第６の実施形態）
図１０は第６の実施形態に係る発電装置６の概略構成を示すブロック図である。なお、図１０において図１、図２及び図９と同一の要素については同一の符号を付している。
【００６０】
発電装置６は、３つの集光ユニット１０、３つの第１発電ユニット２０、第２発電ユニット４０、熱交換ユニット１４０及びパイプ１３０ａ，１３０ｂ，１３０ｃ，１３０ｄを備える。
【００６１】
３つの第１発電ユニット２０はそれぞれ、発電パネル２２を除熱することにより昇温した冷媒を、３本のパイプ１３０ａのそれぞれへと送出する。
【００６２】
熱交換ユニット１４０には、３本のパイプ１３０ａのそれぞれを介して冷媒が供給される。これとは別に、熱交換ユニット１４０には、パイプ１３０ｃを介して熱媒体が供給される。熱交換ユニット１４０は、冷媒の熱を利用して熱媒体を昇温する。熱交換ユニット１４０は、冷媒を３本のパイプ１３０ｂのそれぞれへと送出するとともに、熱媒体をパイプ１３０ｃへと送出する。
【００６３】
次に以上のように構成された発電装置６の動作について、発電装置１の動作とは異なる点を中心に説明する。  
３つの第１発電ユニット２０のそれぞれで、太陽光の光エネルギを用いた発電が行われる。３つの第１発電ユニット２０の密閉容器２１の内部空間２１ａには、冷媒が３本のパイプ１３０ｂを介してそれぞれ供給される。この冷媒が発電パネル２２に触れることで発電パネル２２は除熱され、冷却される。発電パネル２２から熱を得て昇温した冷媒は、３本のパイプ１３０ａのそれぞれを介して、いずれも熱交換ユニット１４０へと供給される。
【００６４】
これと並行して熱交換ユニット１２０へは、パイプ１３０ｃを介して熱媒体が供給される。熱交換ユニット１４０は、３本のパイプ１３０ａのそれぞれを介して供給された冷媒のそれぞれから熱エネルギを取り出し、この熱エネルギを用いて熱媒体を昇温する。熱エネルギが取り出されたことにより温度が低下した冷媒は、３本のパイプ１３０ｂを介して３つの第１発電ユニット２０のそれぞれの密閉容器２１の内部空間２１ａへと供給され、前述したように発電パネル２２を除熱する。従って、熱交換ユニット１４０及び３本ずつのパイプ１３０ａ，１３０ｂの協働により、循環ユニットとしての機能が実現される。  
熱交換ユニット１４０で昇温された熱媒体は、パイプ１３０ｄを介して第２発電ユニット４０に供給される。
【００６５】
かくして発電装置６によっても、第１の実施形態及び第５の実施形態と同様な効果が達成できる。  
なお発電装置６によれば、３つの第１発電ユニット２０のそれぞれで発電パネル２２を冷却する３系統の冷媒を用いて１系統の熱媒体を昇温させ、この１系統の熱媒体を１つの第２発電ユニット４０で用いる。これにより、第１の実施形態における発電装置６を３つ個別に用いるよりも構成の簡略化が図れ、導入コストを低減できる。
【００６６】
この実施形態は、次のような種々の変形実施が可能である。
各実施形態における集光ユニット１０は、省略しても良い。  
各実施形態において、第２発電ユニット４０に代えて、電気エネルギ以外のエネルギを取得するユニットを用いても良い。例えば該当するユニットとしては、冷媒又は熱媒体から熱エネルギを取り出す周知ユニットを利用できる。そして取り出された熱エネルギは、蓄熱、給湯あるいは暖房などの種々の用途に用いられて良い。  
第１の実施形態における昇温ユニット３０及び冷却ユニット５０の少なくとも一方を省略しても良い。  
第１、第２、第５及び第６の実施形態における集光ユニット１０が備える光学系１１の数は１以上の任意の数であって良い。  
第５及び第６の実施形態においても、第１の実施形態と同様にして昇温ユニット３０及び冷却ユニット５０の少なくとも一方を設けても良い。  
第６の実施形態においては、第１発電ユニット２０を２つ又は４つ以上としても良い。  
以上に説明したいくつかの実施形態は、例として示すものであり、発明の範囲を限定するものではない。本発明の要旨を逸脱しない範囲で種々変形実施可能であるのは勿論である。
【符号の説明】
【００６７】
１，２，３，４，５，６…発電装置、１０，７０，９０，１１０…集光ユニット、１１（11-1〜11-3）…光学系、１１ａ，１１ｂ…レンズ、１１ｃ…反射鏡、２０，８０，１００…第１発電ユニット、２１，８１，１０１…密閉容器、２１ａ，８１ａ，１０１ａ…内部空間、２１ｂ，８１ｂ，１０１ｂ…窓、２２…発電パネル、２２ａ，２２ｂ…発電セル、３０…昇温ユニット、４０…第２発電ユニット、５０…冷却ユニット、６０ａ，６０ｂ，６０ｃ，６０ｄ，１３０ａ，１３０ｂ，１３０ｃ，１３０ｄ…パイプ、７１，７２…反射鏡、１２０，１４０…熱交換ユニット。
【図１】
2017153217.tif 000003
【図２】
2017153217.tif 000004
【図３】
2017153217.tif 000005
【図４】
2017153217.tif 000006
【図５】
2017153217.tif 000007
【図６】
2017153217.tif 000008
【図７】
2017153217.tif 000009
【図８】
2017153217.tif 000010
【図９】
2017153217.tif 000011
【図１０】
2017153217.tif 000012